(57)【要約】【課題】上部配設物及び加熱調理器が上下に並設された加熱調理器をシステムキッチンに組み付ける際の作業性を高める。【解決手段】システムキッチンのカウンタトップＣＴに配設される上部加熱調理器本体１０、及び上部加熱調理器本体１０の上方を覆い、排気口５５が設けられた天板５０を有する上部加熱調理器１と、上部加熱調理器本体１０の下方に配設される加熱調理器２と、加熱調理器２からの排気を排気口５５から排出させる上下に伸縮可能な排気筒３０とを有する加熱調理器。【選択図】図１
2017187179.tif 000002
【特許請求の範囲】
【請求項１】
カウンタトップの下方に、上部配設物を介して配設される加熱調理器本体と、
加熱調理器本体に接続され、上下に伸縮可能な排気筒とを有する加熱調理器。
【請求項２】
請求項１に記載の加熱調理器において、
排気筒は、蛇腹式または入子式の構造を有する加熱調理器。
【請求項３】
請求項２に記載の加熱調理器において、
排気筒は、上下に開口する複数の筒体が連接された入子式の構造を有し、伸長時に複数の筒体を連結固定し、短縮時に複数の筒体の連結固定を解除する固定解除手段を有する加熱調理器。
【請求項４】
請求項３に記載の加熱調理器において、
固定解除手段は、上下で隣接する一方の筒体に設けられた係止部と、他方の筒体に設けられた係止部を着脱可能な被係止部とを有する加熱調理器。
【請求項５】
カウンタトップに配設される上部加熱調理器本体、及び上部加熱調理器本体の上方を覆い、排気口が設けられた天板を有する上部加熱調理器と、
上部加熱調理器本体の下方に配設される加熱調理器本体、及び加熱調理器本体に接続され、上下に伸縮可能な排気筒を有する加熱調理器とを備え、
加熱調理器本体からの排気が天板に設けた排気口から排出されるように、下方から排気口に向かって排気筒を伸長させたシステムキッチン。
【請求項６】
請求項５に記載のシステムキッチンにおいて、
加熱調理器本体は、外装ケースを有し、
排気筒は、短縮時に排気筒の上端が外装ケースの上面よりも上方に突出せず、加熱調理器本体を上部加熱調理器本体の下方に配設したとき、短縮した排気筒が天板の排気口の下方に位置するように外装ケースに接続されているシステムキッチン。
【発明の詳細な説明】
【技術分野】
【０００１】
本発明は、カウンタトップの下方に配設される加熱調理器本体と、加熱調理器本体に接続された排気筒を有する加熱調理器、及びそれを組み付けたシステムキッチンに関する。特に、本発明は、コンロなどの上部加熱調理器や引き出し等の上部配設物が既設のシステムキッチンに、オーブンなどの加熱調理器を組み付ける場合の排気筒の改良に関する。
【背景技術】
【０００２】
従来、上部配設物として、カウンタトップの開口部にガスコンロや誘導加熱調理器等の上部加熱調理器を配設したり、カウンタトップの直下に引き出し等の家具を配設し、これらの上部配設物の下方にガスオーブンや電気オーブンなどの加熱調理器を配設したシステムキッチンが知られている。この種のシステムキッチンでは、例えば、下方の加熱調理器からの排気がシステムキッチン内に排出されないように、加熱調理器の排気筒を上部加熱調理器本体の後方で上下方向に貫通させ、加熱調理器の天板に設けた排気口から排気を排出させるようにしている（特許文献１及び２）。
【先行技術文献】
【特許文献】
【０００３】
【特許文献１】特開２００２−２７０３５２号公報
【特許文献２】特開２０１１−１５０９０６号公報
【発明の概要】
【発明が解決しようとする課題】
【０００４】
ところで、上部配設物と加熱調理器とをシステムキッチンに組み付ける場合、下方に配設される加熱調理器本体に上方に延びる排気筒が装着されている状態では、排気筒が上部配設物にあたってしまう。そのため、例えば、上部加熱調理器が既設のシステムキッチンに加熱調理器を組み付ける場合、カウンタトップから上部加熱調理器を取り外す必要があり、設置工事が大掛かりになっていた。
【０００５】
特許文献１及び２の加熱調理器では、システムキッチンに加熱調理器を組み付けるために、排気筒を別部材とし、上部加熱調理器本体の後部に排気筒挿入用の開口部を設け、加熱調理器が配設されない場合には、開口部を固定ネジで固定した排気筒挿入カバーで塞ぎ、加熱調理器を配設する場合には、排気筒挿入カバーを取り外し、上方から排気筒を開口部に貫通させて、下方の加熱調理器本体の上面に設けられた排出口に接続させている。
【０００６】
しかしながら、排気筒は上部加熱調理器本体の後部を貫通させるため、作業スペースが狭く、設置作業者が上方から固定ネジの螺着位置を確認し難いという問題がある。そのため、小さな固定ネジで排気筒の固定を行う際に、固定ネジを落下させやすく、また隠蔽部に固定ネジが落下した場合、固定ネジを見つけ難い。特に、上部加熱調理器本体内にグリル装置などの調理装置が組み込まれている場合、上部加熱調理器本体の内部からの排気を排出させる排気ダクトも後方に設けられるため、さらに作業性が低下するという問題がある。
【０００７】
本発明は上記課題を解決するものであり、本発明の目的は、上部配設物が既設のシステムキッチンに加熱調理器を組み付ける際の作業性を高めることにある。
【課題を解決するための手段】
【０００８】
本発明は、カウンタトップの下方に、上部配設物を介して配設される加熱調理器本体と、
加熱調理器本体に接続され、上下に伸縮可能な排気筒とを有する加熱調理器である。
上記加熱調理器によれば、加熱調理器本体とカウンタトップとの間に上部配設物が介在していても、上部配設物の下方に排気筒を短縮させた状態で加熱調理器を配設し、排気筒を上方に伸長させることにより加熱調理器をシステムキッチンに組み付けることができる。
【０００９】
上記加熱調理器において、好ましくは、
排気筒は、蛇腹式または入子式の構造を有する。
上記加熱調理器によれば、伸縮が容易であり、また排気の漏れを防止できる排気筒を簡易な構造で製造できる。
【００１０】
上記加熱調理器において、好ましくは、
排気筒は、上下に開口する複数の筒体が連接された入子式の構造を有し、伸長時に複数の筒体を連結固定し、短縮時に複数の筒体の連結固定を解除する固定解除手段を有する。
上記加熱調理器によれば、伸長時に複数の筒体を固定解除手段で連結固定することにより、入子式の排気筒を自立させることができる。また、短縮時に複数の筒体の連結固定を固定解除手段で解除することにより、入子式の排気筒の高さを低減することができる。これにより、加熱調理器を上部配設物の下方に配設する際の上部配設物の底面への衝突を防ぎつつ、容易に排気筒を排気口まで延設させることができる。
【００１１】
上記加熱調理器において、好ましくは、
固定解除手段は、上下で隣接する一方の筒体に設けられた係止部と、他方の筒体に設けられた係止部を着脱可能な被係止部とを有する。
上記加熱調理器によれば、係止構造によって複数の筒体の連結固定及び解除を行うことができるから、固定ネジを用いることなく、より簡易な構造で排気筒を伸縮させることができる。
【００１２】
また、本発明は、カウンタトップに配設される上部加熱調理器本体、及び上部加熱調理器本体の上方を覆い、排気口が設けられた天板を有する上部加熱調理器と、
上部加熱調理器本体の下方に配設される加熱調理器本体、及び加熱調理器本体に接続され、上下に伸縮可能な排気筒を有する加熱調理器とを備え、
加熱調理器本体からの排気が天板に設けた排気口から排出されるように、下方から排気口に向かって排気筒を伸長させたシステムキッチンである。
上記加熱調理器は、加熱調理器の排気筒が上下に伸縮可能な構造を有しているから、上部加熱調理器本体を取り外すことなく、上部加熱調理器本体の下方に排気筒を短縮させた状態の加熱調理器を配設できる。また、加熱調理器を上部加熱調理器本体の下方に配設した後、上方に排気筒を伸長させることにより、排気口まで排気筒を延在させることができる。
【００１３】
上記システムキッチンにおいて、好ましくは、
加熱調理器本体は、外装ケースを有し、
排気筒は、短縮時に排気筒の上端が外装ケースの上面よりも上方に突出せず、加熱調理器本体を上部加熱調理器本体の下方に配設したとき、短縮した排気筒が排気口の下方に位置するように外装ケースに接続される。
上記加熱調理器によれば、排気筒が加熱調理器本体の外装ケースの上面から突設しないように設けられているから、加熱調理器を上部加熱調理器本体の下方に配設する際の上部加熱調理器本体の底面への排気筒の衝突を防止できるだけでなく、梱包サイズも小さくできる。また、短縮した排気筒は、加熱調理器を上部加熱調理器本体の下方に配設したときに、排気口の下方に位置するように外装ケースに接続されているから、上方に排気筒を伸長させるだけで、排気口の所定位置に排気筒の上端開口部を臨ませることができる。
【発明の効果】
【００１４】
以上のように、本発明によれば、加熱調理器からの排気を排出させる部材として、上下方向に伸縮可能な排気筒を設けたから、既設の上部配設物の下方に加熱調理器を組み付ける場合、上部配設物を取り外す必要がない。また、本発明によれば、固定ネジを使用することなく、排気筒を上方に伸長させるだけで、排気筒を排気口まで延設できる。これにより、加熱調理器を設置する際の作業性を大幅に改善できる。
【図面の簡単な説明】
【００１５】
【図１】図１は、本発明の実施の形態に係るシステムキッチンの設置形態の一例を示す概略分解斜視図である。
【図２】図２は、本発明の実施の形態に係るシステムキッチンの一例を示す概略側面図である。
【図３】図３は、本発明の実施の形態に係る排気筒の一例を示す概略斜視図である。
【図４】図４は、本発明の実施の形態に係る排気筒を構成する筒体の一例を示す概略斜視図である。
【図５】図５は、本発明の実施の形態に係る上部加熱調理器本体の後方部分を示す概略平面図である。
【発明を実施するための形態】
【００１６】
以下、上部加熱調理器としてグリル装置を有するガスコンロを、加熱調理器としてガスオーブンを配設したシステムキッチンについて図面を参照しながら説明する。
【００１７】
図１は、システムキッチンにガスオーブンを組み付ける前の状態を示す概略分解斜視図であり、図２は、システムキッチンにガスオーブンを組み付ける際の概略側面図である。システムキッチンは、例えば、壁に沿って床面上に配設したキャビネットＣとキャビネットＣ上に連設されたカウンタトップＣＴとを有する。カウンタトップＣＴには、ガスコンロ１を収容するための開口部Ｋ（図２参照）が開設されており、開口部Ｋの下方には、ガスオーブン２を収容するための空間Ｓが設けられている。なお、本明細書では、システムキッチンに加熱調理器が設置された状態の正面側を前方とし、加熱調理器の奥行き方向を前後方向、加熱調理器の幅方向を左右方向、加熱調理器の高さ方向を上下方向という。
【００１８】
ガスコンロ１は、カウンタトップＣＴに形成された開口部Ｋから落とし込まれ、上端フランジ部１１０で開口部Ｋの周縁に吊持状態で装着されるコンロ本体１０と、コンロ本体１０の上方開放部を被蓋する天板５０とを有する。コンロ本体１０は、複数の金属板により構成された上方開放の略矩形箱状の外装ケース１０１を有する。コンロ本体１０内には、複数のコンロバーナ１１と、中央下部にグリル装置１２とが配設されており、コンロ本体１０の前面には、操作パネル１４とグリル扉１５とが配設されている。グリル装置１２は、グリルバーナ（図示せず）が収容されたグリル庫１２０と、グリル庫１２０内と連通し、グリル庫１２０の後方から天板５０の排気口５５に向かって斜め上後方に延びる排気ダクト１２１とを有する。
【００１９】
外装ケース１０１の後板１０２には、後述するガスオーブン２の上面に接続された排気筒３０を挿通させるための挿通孔１０３（図５参照）が開設されており、ガスオーブン２が配設されない場合には、挿通孔１０３を覆うように着脱可能な本体カバー１０５が上端フランジ部１１０に固定ネジ（図示せず）で取り付けられている。
【００２０】
天板５０は、左右方向に長い略長方形状のガラス板や金属板から構成されており、裏面がコンロ本体１０の上端フランジ部１１０に係止される。天板５０の所定箇所には、コンロバーナ１１を上方に突設させるための複数のバーナ用開口５１が開設されている。また、天板５０の後方には、グリル庫１２０内からの排気を排出する排気ダクト１２１の上端開口部１２２と、後述するガスオーブン２内からの排気を排出する排気筒３０の上端開口部３１０ａとが臨む排気口５５が左右方向に長い長孔状に開設されている。
【００２１】
ガスオーブン２は、前面開口部がオーブン扉２１で被蓋される略矩形箱状のオーブン本体２０を有する。オーブン本体２０は、複数の金属板から構成された外装ケース２１０を有しており、図示しないが、オーブン本体２０内には、オーブンバーナが配設された燃焼室と、燃焼室と連通し、調理物を加熱調理する調理室とを有するオーブン庫２００が配設されており、調理室の後方には、燃焼室で発生させた燃焼排ガスの熱気を調理室に送り込んで循環させる循環ファンが配設されている。外装ケース２１０の下方には、高さ調節可能な脚部２５が設けられており、脚部２５の前方開放部には着脱自在なけこみカバー２６が取り付けられている。
【００２２】
ガスオーブン２の外装ケース２１０は、上面を構成する上壁２１１、底壁２１２、右側壁２１３、左側壁（図示せず）、及び後壁２１４を有している。また、外装ケース２１０の上壁２１１の後方には、一段下方に上面が下がった凹部２５０が形成されている。凹部２５０の底面２５１には、調理室内と連通し、調理室からの排気を排出する排出口２６０が開設され、排出口２６０の周縁には、排出口２６０から排出される排気を天板５０の排気口５５から外部に排出させるための排気筒３０が接続されている。この排出口２６０は、ガスオーブン２がシステムキッチンの所定位置に配設されると、天板５０の排気口５５の下方に位置するように設けられている。なお、排気筒３０は伸縮可能な構造を有しており、短縮時の高さが低減できるため、凹部２５０を設けることなく外装ケース２１０の上壁２１１に排気筒３０を接続してもよい。また、ガスオーブン２によって排出口２６０の位置が異なるため、例えば、後壁２１４にＬ字状の排気筒３０が接続されてもよい。
【００２３】
図３は、伸長時の排気筒３０を示す概略斜視図であり、図４は、排気筒３０を構成する筒体３０１（伸長時に、下から２段目）の１つを示す概略斜視図である。図３に示すように、排気筒３０は、上下開口部３１０，３２０を有する略四角垂台状の複数の筒体３０１（本実施の形態では、４個）が入子式に連接された上下方向に伸縮可能な構造を有する。排気筒３０は、内方に配設される筒体３０１ほど上下開口部３１０，３２０の開口面積が小さくなるように形成されており、内方の筒体３０１が、隣接する外方の筒体３０１に入子式に順次挿入されている。従って、短縮時には最も外方に位置する筒体３０１が排気筒３０の下端に位置し、伸長時には最も内方に位置する筒体３０１が排気筒３０の上端に位置する。さらに、各筒体３０１の高さは、短縮時には上端が外装ケース２１０の一段高い上壁２１１から上方に突出しない高さとなり、伸長時には上端に位置する筒体３０１の上開口部３１０ａが天板５０の排気口５５に臨む位置まで延設する高さとなるように設定されている。
【００２４】
伸長時に排気筒３０の下端に位置する筒体３０１には、下開口部３２０を形成する左右の下辺から外方に折り曲げられた下端フランジ部３１５が設けられており、下端フランジ部３１５は、固定ネジ３１６によって外装ケース２１０の上壁２１１の凹部２５０の底面２５１と接続されている。また、伸長時に排気筒３０の上端を構成する筒体３０１を除く各筒体３０１の前後側面３１１，３１２の上開口部３１０近傍にはそれぞれ、図４に示すように、左右方向に長い長孔状の係止孔３３０が開設されている。これらの係止孔３３０は、伸長時に正面視で左右方向に千鳥状に配設され、係止孔３３０には、後述する板バネ３７０の凸部３７３が係止される。また、伸長時に排気筒３０の下端を構成する筒体３０１を除く各筒体３０１の前後の下辺にはそれぞれ、板バネ３７０を位置決めするための切欠部３３１が設けられている。さらに、伸長時に排気筒３０の下端を構成する筒体３０１を除く各筒体３０１の上開口部３１０を形成する前後または左右の上辺にはそれぞれ、外方に延びる爪片３８０が形成されている。これらの爪片３８０は、排気筒３０を伸長させるときに、工具によって上方から把持する把持部として機能する。また、上端開口部３１０の内周縁には、伸長時に内方側に位置する筒体３０１の外面に当接し、排気漏れを防止する耐熱性のパッキン３８５が配設されている。
【００２５】
煩雑化を避けるため、図３では前側面３１１側のみが示されているが、排気筒３０の下端を構成する筒体３０１を除く各筒体３０１の前後側面３１１，３１２の下方にはそれぞれ、側面視で略Ｌ字状の板バネ３７０が配設されている。これらの板バネ３７０は、係止孔３３０と同様に、伸長時に正面視で左右方向に千鳥状に配設される。板バネ３７０は、上端部が各筒体３０１の前後側面３１１，３１２の外面と固定ネジ３９０によって固定され、下方の隣接する筒体３０１の前後側面３１１，３１２の内面との間に位置するアーム部３７１と、アーム部３７１の下端部から折り曲げられて、下開口部３２０の内方に向かって延在する基端部３７２とを有する。図示しないが、板バネ３７０は、アーム部３７１と基端部３７２との間の折り曲げ位置で、筒体３０１の前後の下辺に設けられた切欠部３３１に係止されている。また、アーム部３７１は、固定ネジ３９０で固定された上端部を支点とし、基端部３７２に繋がるアーム部３７１の下端部が外方側に付勢されている。従って、短縮時には、アーム部３７１により外方側に位置する下方の隣接する筒体３０１の前後側面３１１，３１２の内面が押圧されて、排気筒３０全体がしっかりと固定される。これにより、排気筒３０を逆さまにした状態でも、筒体３０１の落下が防止されている。
【００２６】
板バネ３７０のアーム部３７１の下端部近傍には、外方に突出する凸部３７３が形成されており、基端部３７２の内方端部近傍には、解除孔３７４が開設されている。排気筒３０を伸長させる場合、爪片３８０を把持して筒体３０１を持ち上げると、図３に示すように、この凸部３７３は既述した下方の隣接する筒体３０１の前後側面３１１，３１２に設けられた係止孔３３０に係合する。これにより、上方の隣接する筒体３０１の下方への移動が制限されるため、固定ネジを使用することなく、上下で隣接する筒体３０１を連結固定できる。一方、排気筒３０を短縮させる場合、排気筒３０の上端開口部３１０ａ（最も上方に位置する筒体３０１の上開口部３１０）から解除孔３７４に係止可能なドライバなどの解除工具を差込み、解除孔３７４に解除工具の先端を引っ掛けて、板バネ３７０の基端部３７２を内方側に移動させる。すると、板バネ３７０のアーム部３７１は弾性変形可能に付勢されているため、凸部３７３が筒体３０１の係止孔３３０から外れて係合が解除され、上下に隣接する筒体３０１の連結固定が解除される。従って、本実施の形態では、板バネ３７０及び筒体３０１の前後側面３１１，３１２に形成された係止孔３３０が筒体３０１の固定解除手段として機能する。
【００２７】
次に、本実施の形態のガスオーブン２をコンロ本体１０が既設のシステムキッチンに組み付ける設置作業について説明する。なお、天板５０は、取り外されているものとする。
図１に示すように、外装ケース２１０の上壁２１１の凹部２５０に短縮させた排気筒３０が接続されたガスオーブン２を、システムキッチンの下方の空間Ｓに途中まで押し込む。そして、図示しないが、ガスオーブン２から延設されている電源コードやアース線を壁に設けたコンセントに接続するとともに、ガス配管とガスオーブンの接続管とを接続する。次いで、ガスオーブン２を所定位置まで押し込み、ガスコンロ１の底板に予め設けられた位置決め穴をガスオーブン２の上壁２１１に予め設けられた固定穴に合わせ、ガスコンロ１の底板とガスオーブン２の上壁２１１とを連結ネジで螺着する。これにより、ガスコンロ１とガスオーブン２とが所定の位置関係で位置決めされる。
【００２８】
上記位置決め状態で、コンロ本体１０の後板１０２に設けた挿通孔１０３をカバーする本体カバー１０５を取り外すと、図５に示すように、設置作業者は、挿通孔１０３を介して下方の排気筒３０を視認できる。そして、上方から挿入させた工具で筒体３０１の上開口部３１０の周縁に突設させた爪片３８０を把持し、各筒体３０１を持ち上げる。すると、既述した板バネ３７０のアーム部３７１に形成された凸部３７３が下方に隣接する筒体３０１の係止孔３３０に係止され、上下の隣接する筒体３０１が連結固定されて、排気筒３０が伸長する。このとき、排気筒３０は、伸長時に排気筒３０の上端開口部３１０ａ（最も上方の筒体３０１の上開口部３１０）が排気口５５に臨む長さに設定されているため、排気筒３０の上端開口部３１０ａとグリル庫１２０と接続された排気ダクト１２１の上端開口部１２２とは、前後に並設される。上記のようにして、ガスオーブン２を配設した後、コンロ本体１０の上方開放部を天板５０で被蓋することにより設置作業が終了する。
【００２９】
一方、システムキッチンからガスオーブン２を取り外す場合には、既述した排気筒３０の上端開口部３１０ａから解除工具を板バネ３７０の解除孔３７４に差込み、板バネ３７０の基端部３７２を内方側に移動させて、板バネ３７０の凸部３７３と筒体３０１の係止孔３３０との係合を解除することにより、上下に隣接する筒体３０１の連結固定を解除して、排気筒３０を短縮させる。
【００３０】
以上詳細に説明したように、本実施の形態の加熱調理器によれば、上下に伸縮可能な入子式の構造を有する排気筒３０をガスオーブン２に設けているから、コンロ本体１０が既設のシステムキッチンにガスオーブン２を組み付けるにあたって、コンロ本体１０を取り外すことなく、排気筒３０が接続された状態のガスオーブン２をコンロ本体１０の下方に設置できる。また、排気筒３０は、ガスオーブン２の上面に設けられた凹部２５０内に収容されており、短縮時の排気筒３０がガスオーブン２の上面から突出しないように設けられているため、コンロ本体１０の下方にガスオーブン２を配設するときに、排気筒３０がコンロ本体１０の底面と衝突するのを防止できる。なお、短縮時の排気筒３０はガスオーブン２の上面から突出しないように設けられているため、梱包サイズも小さくできる。
【００３１】
また、本実施の形態の加熱調理器によれば、伸縮可能な排気筒３０は、ガスオーブン２をコンロ本体１０の下方に配設したとき、短縮した排気筒３０が排気口５５の下方に位置するようにガスオーブン２の外装ケース２１０と接続されているため、コンロ本体１０の下方にガスオーブン２を設置すると、コンロ本体１０に設けた挿通孔１０３の下方に排気筒３０が位置する。また、排気筒３０の各筒体３０１の上開口部３１０の周縁には、把持部として爪片３８０が設けられているから、爪片３８０を把持して各筒体３０１を持ち上げることにより、排気筒３０を伸長させることができる。そして、各筒体３０１の前後側面３１１，３１２の下開口部３２０近傍には外方に突出する凸部３７３を形成した板バネ３７０が配設されており、各筒体３０１の上開口部３１０近傍の前後側面３１１，３１２には係止孔３３０が開設されているから、筒体３０１を持ち上げると、凸部３７３が係止孔３３０に係止され、上下の隣接する筒体３０１が連結固定される。これにより、固定ネジを使用することなく、排気筒３０を伸長させて、排気筒３０の上端開口部３１０ａを排気口５５近傍まで延設させることができる。また、凸部３７３を係止孔３３０に係止させることにより上下に隣接する筒体３０１が連結固定されるため、固定ネジを使用することなく、自立状態で排気筒３０を立設させることができる。これにより、固定ネジを落下させる虞がない。また、狭い作業スペースに排気筒３０を簡易な作業で配設することができる。従って、本実施の形態によれば、コンロ本体１０が既設のシステムキッチンにガスオーブン２を設置する際の作業性を大幅に改善できる。
【００３２】
（その他の実施の形態）
（１）上記実施の形態では、上部加熱調理器として、グリル装置を有するガスコンロが用いられているが、コンロバーナのみを有するガスコンロを用いてもよい。また、上記実施の形態では、上部配設物として、上部加熱調理器が用いられているが、カウンタトップの下方に引き出し等の家具が配設されてもよい。
（２）上記実施の形態では、入子式の構造を有する排気筒が設けられているが、蛇腹式の構造などの他の上下に伸縮可能な構造の排気筒を用いてもよい。また、入子式の構造を有する排気筒の場合、上開口部が下開口部よりも開口面積が大きい筒体を用いてもよい。
（３）上記実施の形態では、固定解除手段として凸部を形成した板バネと、筒体に設けた係止孔とが用いられているが、上下に隣接する筒体の連結固定及びその解除が可能であれば、特に固定解除手段は制限されない。例えば、筒体の所定位置に凸部や鍵状の係止部を設けてもよい。
【符号の説明】
【００３３】
１          ガスコンロ（上部加熱調理器）
２          ガスオーブン（加熱調理器）
１０          コンロ本体（上部加熱調理器本体）
２０          オーブン本体（加熱調理器本体）
３０          排気筒
５０          天板
２５０          凹部
３０１          筒体
３３０          係止孔
３７０          板バネ
【図１】
2017187179.tif 000003
【図２】
2017187179.tif 000004
【図３】
2017187179.tif 000005
【図４】
2017187179.tif 000006
【図５】
2017187179.tif 000007